(57)【要約】      （修正有）【課題】芯線数の多い信号線が配線される場合であっても、ヘッドホンの意匠への影響を低減する。【解決手段】ヘッドホンであって、一対のイヤピース、一対のイヤピースを連結する連結部材９０と、イヤピースと連結部材との間の距離を変更するスライド機構ＬＳと、一対のイヤピース間に配線される信号線１００と、を有する。スライド機構は、連結部材に固定されるスライド収納部４０と、スライド収納部の内部に進退移動可能に配置されるスライド部３０と、スライド部の進行方向への移動を規制する規制部４３と、を備える。信号線のうち、スライド部が退行方向に移動しているときに規制部とスライド部との間に配置される部分１０１ａ、１０２ａは、規制部がスライド部の進行方向への移動を規制しているときには規制部よりも進行方向の前方に配置される。【選択図】図７
2018046445.tif 000002
【特許請求の範囲】
【請求項１】
一対のイヤピースと、
前記一対のイヤピースを連結する連結部材と、
前記イヤピースと前記連結部材との間の距離を変更するスライド機構と、
前記一対のイヤピース間に配線される信号線と、
を有してなり、
前記スライド機構は、
前記連結部材に固定されるスライド収納部と、
前記スライド収納部の内部に進退移動可能に配置されるスライド部と、
前記スライド部の進行方向への移動を規制する規制部と、
を備え、
前記信号線のうち、前記スライド部が退行方向に移動しているときに前記規制部と前記スライド部との間に配置される部分は、前記規制部が前記スライド部の前記進行方向への移動を規制しているときには前記規制部よりも前記進行方向の前方に配置される、
ことを特徴とするヘッドホン。
【請求項２】
前記スライド部は、前記信号線が配線される配線部、
を備える、
請求項１記載のヘッドホン。
【請求項３】
前記スライド部は、２本のアーム部材を備え、
前記アーム部材は、前記配線部としての溝を備える、
請求項２記載のヘッドホン。
【請求項４】
前記２本のアーム部材それぞれの前記溝は、互いに対向する前記２本のアーム部材それぞれの対向面に配置される、
請求項３記載のヘッドホン。
【請求項５】
前記信号線は、前記溝に嵌入される、
請求項３記載のヘッドホン。
【請求項６】
前記スライド部は、アーム部材を備え、
前記アーム部材は、前記配線部としての孔を備える、
請求項２記載のヘッドホン。
【請求項７】
前記規制部よりも前記スライド部の前記進行方向の前方に配置されるボス部、
を備え、
前記信号線は、前記規制部と前記ボス部との間に挿通され、
前記規制部と前記ボス部との間を挿通される前記信号線の挿通方向は、前記スライド部の進退移動方向とは異なる、
請求項１記載のヘッドホン。
【請求項８】
前記部分は、前記スライド部が前記進行方向に移動するときに、前記ボス部にガイドされて前記規制部よりも前記進行方向の前方に移動する、
請求項７記載のヘッドホン。
【発明の詳細な説明】
【技術分野】
【０００１】
本発明は、ヘッドホンに関する。
【背景技術】
【０００２】
ヘッドホンのうち、例えば、耳覆い型のヘッドホンは、一対のイヤピースと、両イヤピースを連結する連結部材と、を有してなる。各イヤピースは、ドライバユニットと、ドライバユニットを収納するハウジングと、を備える。ドライバユニットは、例えば、楽音再生機などの外部機器からの電気信号を音波に変換して出力する。
【０００３】
連結部材は、一対の調節機構と、ヘッドバンドと、を備える。調節機構は、ハンガーとスライド機構とを備える。ハンガーは、イヤピースを揺動可能に支持して、ヘッドホンの使用者（以下「使用者」という。）の頭部に対するイヤピースの角度を調節する。スライド機構は、進退移動（スライド）することで、ヘッドバンドに対するイヤピースの距離を変化させる。使用者の操作によりスライド機構が進退移動することで、イヤピースの位置は、使用者の耳の位置に調節される。ヘッドバンドは、一対の調節機構を連結する。ヘッドバンドは、弾性を有する。各イヤピースは、ヘッドバンドの復元力により、各イヤピースが近づく方向に付勢される。
【０００４】
このような調節機構を備えるヘッドホンにおいて、ドライバユニットに電気信号を入力するヘッドホンケーブルが、一方のイヤピースにのみ接続されたヘッドホンが提案されている（例えば、特許文献１参照）。
【０００５】
特許文献１に開示されたヘッドホンは、一方のイヤピースから他方のイヤピースへ音声信号を伝達する信号線（渡りコード）を備える。信号線は、一方のイヤピースの内部と、他方のイヤピースの内部と、に接続される。信号線は、一方の調節機構（ハンガーとスライド機構）、ヘッドバンド、他方の調節機構（ハンガーとスライド機構）それぞれの内部に配線される。
【０００６】
前述のとおり、スライド機構は、ヘッドバンドに対するイヤピースの距離を調節する。そのため、信号線の配線に必要な距離は、スライド機構の進退移動に応じて変化する。その結果、信号線の長さは、スライド機構の進退移動に対応して、ゆとりのある長さに設定される。
【０００７】
信号線は、スライド機構の内部において、弛んだ（曲げられた）状態で配線される。スライド機構の進退移動に応じて信号線の弛んだ状態が変化することで、信号線の断線や絡まりなどの不具合は、発生しない。
【先行技術文献】
【特許文献】
【０００８】
【特許文献１】特開２０１０−０５０６４７号公報
【発明の概要】
【発明が解決しようとする課題】
【０００９】
芯線数の少ない信号線は、細くて曲がりやすい。そのため、スライド機構の内部において、信号線は、比較的自由に配線可能である。
【００１０】
近年、ノイズキャンセリング処理やフルデジタル化処理などの音質改善に伴い、信号線の芯線数は増加傾向にある。芯線数の多い信号線は、太くて曲がりにくい。そのため、スライド機構の内部において、芯線数の多い信号線の配線に対する制約は、芯線数の少ない信号線の配線に対する制約と比較して多くなる（配線が困難になる）。また、スライド機構に太い信号線を弛んだ状態で配線するためには、スライド機構の厚みや幅の寸法は大きくなる。その結果、ヘッドホンの意匠性は、損なわれる。
【００１１】
本発明は、以上のような従来技術の問題点を解消するためになされたもので、芯線数の多い信号線が配線される場合であっても、ヘッドホンの意匠への影響を低減することを目的とする。
【課題を解決するための手段】
【００１２】
本発明は、ヘッドホンであって、一対のイヤピースと、一対のイヤピースを連結する連結部材と、イヤピースと連結部材との間の距離を変更するスライド機構と、一対のイヤピース間に配線される信号線と、を有してなり、スライド機構は、連結部材に固定されるスライド収納部と、スライド収納部の内部に進退移動可能に配置されるスライド部と、スライド部の進行方向への移動を規制する規制部と、を備え、信号線のうち、スライド部が退行方向に移動しているときに規制部とスライド部との間に配置される部分は、規制部がスライド部の進行方向への移動を規制しているときには規制部よりも進行方向の前方に配置されることを特徴とする。
【発明の効果】
【００１３】
本発明によれば、芯線数の多い信号線が配線される場合であっても、ヘッドホンの意匠への影響を低減することができる。
【図面の簡単な説明】
【００１４】
【図１】本発明にかかるヘッドホンの実施の形態を示す斜視図である。
【図２】図１のヘッドホンの右側面図である。
【図３】図１のヘッドホンが備える左ハンガーと左スライド機構の斜視図である。
【図４】図３の左ハンガーと左スライド機構との図２におけるＡＡ線断面図である。
【図５】図３の左スライド機構の図２におけるＢＢ線断面図である。
【図６】図３の左スライド機構の分解斜視図である。
【図７】図３の左ハンガーと左スライド機構との内部における、図１のヘッドホンが備える信号線の配線状態を示す斜視図である。
【図８】左スライド機構が最大限退行した状態における信号線の配線状態を示す図である。
【図９】左スライド機構が最大限進行した状態における信号線の配線状態を示す図である。
【発明を実施するための形態】
【００１５】
以下、図面を参照しながら、本発明にかかるヘッドホンの実施の形態について説明する。
【００１６】
●ヘッドホンの構成
図１は、本発明にかかるヘッドホンの実施の形態を示す斜視図である。
図２は、ヘッドホンの右側面図である。
【００１７】
ヘッドホン１は、ヘッドホン１の使用者（以下「使用者」という。）の頭部に装着されて、例えば、携帯型音楽再生機（不図示）などの音源からの音声信号に応じた音波を使用者の鼓膜に向けて出力する。ヘッドホン１は、例えば、無線通信回線を介して音源から音声信号を受信する無線式のヘッドホンである。
【００１８】
なお、本発明にかかるヘッドホンは、例えば、ケーブルを介して音源から音声信号を受信する有線式のヘッドホンでもよい。
【００１９】
以下の説明において、ヘッドホン１に対する上下左右前後の方向は、ヘッドホン１が使用者の頭部に装着された状態（以下「ヘッドホン装着状態」という。）における使用者に対する上下左右前後の方向と同じである。すなわち、例えば、左イヤピース１０は、使用者の左耳に装着される。
【００２０】
ヘッドホン１は、左イヤピース１０と、左ハンガー２０と、左スライド部３０と、左スライド収納部４０と、右イヤピース５０と、右ハンガー６０と、右スライド部７０と、右スライド収納部８０と、ヘッドバンド９０と、信号線１００（図７参照）と、信号線収納部１１０（図７参照）と、を有してなる。左イヤピース１０は、右イヤピース５０と共に一対のイヤピースを構成する。左スライド部３０は、左スライド収納部４０と共に左スライド機構ＬＳを構成する。右スライド部７０は、右スライド収納部８０と共に右スライド機構ＲＳを構成する。
【００２１】
左イヤピース１０は、使用者の左耳の周囲に装着されて、音源からの音声信号に応じた音波を使用者の左耳の鼓膜に向けて出力する。左イヤピース１０は、左ハウジング１１と、左イヤパッド１２と、信号処理回路（不図示）と、左ドライバユニット（不図示）と、を備える。
【００２２】
左ハウジング１１は、信号処理回路と左ドライバユニットとを収納する。左ハウジング１１は、略ハット状である。左ハウジング１１は、２つの軸孔（不図示）を備える。軸孔は、左ハウジング１１の周壁の前部と後部とに１つずつ配置される。
【００２３】
左イヤパッド１２は、左ハウジング１１と使用者の頭部との間の緩衝材である。左イヤパッド１２は、左ハウジング１１の使用者の頭部に対向する面に取り付けられる。
【００２４】
信号処理回路は、受信部と処理部とを備える。受信部は、例えば、無線通信回線を介して音源からの音声信号を受信する。受信部が受信する音声信号は、デジタル信号である。処理部は、受信部が受信した音声信号をデジタル信号の状態で処理（必要な信号の選別、抽出、合成など）し、処理された信号を左ドライバユニットと、後述する右ドライバユニットと、に伝送する。信号処理回路の処理後の信号（以下「処理信号」という。）は、デジタル信号である。
【００２５】
なお、本発明にかかるヘッドホンが優先式のヘッドホンであれば、受信部は、例えば、ＵＳＢ（Universal Serial Bus）端子やケーブル端子などの端子を備え、ケーブルを介して音源からの音声信号を受信する。
【００２６】
左ドライバユニットは、処理信号を音波に変換して出力する。左ドライバユニットは、複数（例えば、４つ）のボイスコイル（マルチボイスコイル）を備えるダイナミック型のドライバユニットである。処理信号は、各ボイスコイルそれぞれに個別に伝送される。
【００２７】
なお、本発明にかかるヘッドホンのボイスコイルの数は、「４」に限定されない。
【００２８】
図３は、左ハンガー２０と左スライド機構ＬＳの斜視図である。
図４は、左ハンガー２０と左スライド機構ＬＳの図２におけるＡＡ線断面図である。
図５は、左スライド機構ＬＳの図２におけるＢＢ線断面図である。
図６は、左スライド機構ＬＳの分解斜視図である。
図６は、分解されていない状態の左ハンガー２０も図示している。
【００２９】
左ハンガー２０は、左イヤピース１０を揺動可能に支持する。左ハンガー２０は、筐体部２１と、軸部２２と、軸部２３と、を備える。
【００３０】
筐体部２１は、中空で、下部が前後方向に二股に分かれた逆Ｙの字状である。筐体部２１は、連結孔２１ｈを備える。連結孔２１ｈは、左ハンガー２０と左スライド部３０とを連結するための孔である。連結孔２１ｈは、筐体部２１の上端に配置される。
【００３１】
軸部２２、２３は、左イヤピース１０を揺動可能に支持する。軸部２２、２３は、略円筒状である。軸部２２、２３は、筐体部２１の下端（二股に分かれた部分の先端）に同軸上に配置される。
【００３２】
軸部２２、２３は、左ハウジング１１の２つの軸孔に回転可能に嵌る。その結果、左イヤピース１０は、軸部２２、２３を回転軸とする所定の角度範囲内で、左ハンガー２０に揺動可能に支持される。軸部２２、２３の内部は、ハウジング１１の内部と、筐体部２１の内部と、に連通する。連結孔２１ｈは、筐体部２１の内部に連通する。
【００３３】
左スライド部３０は、左スライド収納部４０に対して進退移動（スライド）する。左スライド部３０は、第１アーム３１と、第２アーム３２と、第１連結部３３と、第２連結部３４と、ばね３５と、を備える。
【００３４】
第１アーム３１は、第１アーム３１の長手方向において、使用者の頭部の外形に沿うように湾曲した角棒状である。第１アーム３１は、本発明におけるアーム部材の例である。第１アーム３１は、第１配線溝３１ａを備える。第１配線溝３１ａは、信号線１００の一部が配線される溝である。第１配線溝３１ａは、第１アーム３１の長手方向に沿って第１アーム３１の後面（図５の紙面右側の面）に配置される。
【００３５】
第２アーム３２は、第２アーム３２の長手方向において、使用者の頭部の外形に沿うように湾曲した角棒状である。第２アーム３２は、本発明におけるアーム部材の例である。第２アーム３２は、第２配線溝３２ａを備える。第２配線溝３２ａは、信号線１００の一部が配線される溝である。第２配線溝３２ａは、第２アーム３２の長手方向に沿って第２アーム３２の前面（図５の紙面左側の面）に配置される。第２アーム３２は、前後方向において第１アーム３１と対称である。
【００３６】
第１アーム３１は、第２アーム３２の前方に第２アーム３２と対向して配置される。第１配線溝３１ａは、第２配線溝３２ａと対向する。すなわち、第１配線溝３１ａは第１アーム３１の第２アーム３２と対向する面（対向面）に配置され、第２配線溝３２ａは第２アーム３２の第１アーム３１と対向する面（対向面）に配置される。第１配線溝３１ａと第２配線溝３２ａとは、本発明における配線部の例である。
【００３７】
第１連結部３３は、第１アーム３１の一方の端部と、第２アーム３２の一方の端部と、を連結する。第１連結部３３は、筐体部３３ａと軸部３３ｂとを備える。
【００３８】
筐体部３３ａは、中空の略直方体状である。軸部３３ｂは、ハンガー２０を回転可能に支持する。軸部３３ｂは、略円筒状である。軸部３３ｂは、第１連結部３３の下端に配置される。筐体部３３ａの内部は、軸部３３ｂの内部と連通する。
【００３９】
第１連結部３３は、第１アーム３１の下端部と、第２アーム３２の下端部と、の間に配置されて、第１アーム３１と第２アーム３２とにねじで固定される。筐体部３３ａは、軸部３３ｂと、第１配線溝３１ａと第２配線溝３２ａのそれぞれと、連通する。
【００４０】
第２連結部３４は、第１アーム３１の他方の端部と、第２アーム３２の他方の端部と、を連結する。第２連結部３４は、第１アーム３１と第２アーム３２と略同じ厚みの板状である。第２連結部３４は、第３配線溝３４ａと、第４配線溝３４ｂと、ばね収納部３４ｃと、を備える。
【００４１】
第３配線溝３４ａは、信号線１００の一部が配線される溝である。第３配線溝３４ａは、第２連結部３４の第１面（後述する第２部材４２に対向する面）の前部に配置される。第４配線溝３４ｂは、信号線１００の一部が収納される溝である。第４配線溝３４ｂは、第２連結部３４の第１面の後部に配置される。ばね収納部３４ｃは、ばね３５を収納する。ばね収納部３４ｃは、第２連結部３４の第１面の中央部に配置される。
【００４２】
第２連結部３４は、第１アーム３１の上端部と、第２アーム３２の上端部と、の間に配置されて、第１アーム３１と第２アーム３２とにねじで固定される。第３配線溝３４ａは、第１配線溝３１ａと連通する。第４配線溝３４ｂは、第２配線溝３２ａと連通する。
【００４３】
ばね３５は、左スライド収納部４０に対する左スライド部３０の位置を固定する。ばね３５は、折り曲げられた金属製の板ばねである。ばね３５は、山型に折り曲げられた突起部３５ａを備える。ばね３５は、第２連結部３４のばね収納部３４ｃに収納される。
【００４４】
第１連結部３３の軸部３３ｂは、左ハンガー２０の連結孔２１ｈに回転可能に嵌る。その結果、左ハンガー２０は、左スライド部３０に、軸部３３ｂを回転軸とする所定の角度範囲で回転可能に支持される。軸部３３ｂの内部は、左ハンガー２０の筐体部２１の内部と連通する。
【００４５】
左スライド収納部４０は、左スライド部３０の一部を進退移動可能に収納する。左スライド収納部４０は、第１部材４１と、第２部材４２と、リブ４３と、第１ボス部４４と、第２ボス部４５と、第３ボス部４６と、ヘッドバンド固定部４７と、を備える。
【００４６】
第１部材４１は、左スライド部３０のスライドをガイドする。第１部材４１は、対向する長辺部が同一方向に折り曲げられたみぞ形である。第１部材４１は、第１部材４１の長手方向に沿って、第１アーム３１と同じ曲率で湾曲する。折り曲げられた長辺部は、前壁と後壁とを構成する。前壁は、前方に面して、後壁と前後方向において対向する。
【００４７】
第２部材４２は、第１部材４１を覆い、第１部材４１と共に左スライド部３０の一部が収納される空間を区画する。第２部材４２は、第１部材４１と同じ曲率で湾曲する略板状である。第２部材４２は、スライド固定部４２ａを備える。
【００４８】
スライド固定部４２ａは、左スライド収納部４０に対する左スライド部３０の位置を固定する。スライド固定部４２ａは、第２部材４２の第１部材４１と対向する面の中央に、第２部材４２の長手方向に沿って配置される凹凸面である。
【００４９】
リブ４３は、左スライド部３０が左スライド収納部４０の内部に進行する方向（以下「進行方向」という。）への移動を規制する。リブ４３は、第１部材４１の前壁から後方へ延びる板状である。リブ４３は、第１部材４１の上端寄りに配置される。リブ４３の後端は、前後方向において、第２ボス部４５の後端と略同じ位置に配置される（図７参照）。
【００５０】
第１ボス部４４は、ヘッドバンド固定部４７を第１部材４１と第２部材４２とに固定するねじが嵌る部分を補強する。第１ボス部４４は、第１部材４１の下端寄りの中央に配置される。
【００５１】
第２ボス部４５は、第２部材４２を第１部材４１に固定するねじが嵌る部分を補強する。第２ボス部４５は、第１部材４１の上端の前壁寄りに配置される。すなわち、第２ボス部４５は、リブ４３よりも進行方向の前方に配置される。
【００５２】
第３ボス部４６は、第２部材４２を第１部材４１に固定する別のねじが嵌る部分を補強する。第３ボス部４６は、後壁と一体に形成されて、第１部材４１の上端に配置される。
【００５３】
第２ボス部４５と前壁との間と、リブ４３と第２ボス部４５との間と、には、信号線１００が挿通（配線）されるＬ字状の通路（以下「信号線挿通路」という。）４８が形成される。信号線挿通路４８については、後述する。
【００５４】
ヘッドバンド固定部４７は、ヘッドバンド９０の一端（左端）を左スライド機構ＬＳに固定する。ヘッドバンド固定部４７は、左スライド収納部４０の下端部に配置される。ヘッドバンド固定部４７は、蓋部材４７ａと、第１アーム３１と第２アーム３２とが挿通される孔（不図示）を備える。
【００５５】
第２部材４２は、第１部材４１を覆って、第１部材４１にねじで固定される。ヘッドバンド固定部４７は、第１部材４１の下端部と第２部材４２の下端部とを覆い、左スライド収納部４０にねじで固定される。左スライド部３０の第２連結部３４は、第１ボス部４４とリブ４３との間に配置される。左スライド部３０の第１アーム３１と第２アーム３２とは、ヘッドバンド固定部４７の孔に挿通される。第１連結部３３は、第１部材４１の下方に配置される。
【００５６】
左スライド部３０のうち、第１アーム３１の上端部と、第２アーム３２の上端部と、第２連結部３４とは、左スライド収納部４０に収納される。すなわち、左スライド部３０の一部は、左スライド収納部４０の内部に、左スライド収納部４０の長手方向に進退移動可能に配置される。左スライド収納部４０に対する左スライド部３０の位置は、ばね３５がスライド固定部４２ａの凹部に嵌合することで固定される。
【００５７】
左スライド収納部４０の内部は、左スライド部３０の第３配線溝３４ａと第４配線溝３４ｂのそれぞれとに連通する。
【００５８】
進行方向において、リブ４３は、左スライド部３０の前方に配置される。左スライド部３０が進行してリブ４３に当接したとき、左スライド部３０は、左スライド収納部４０の内部に最大限進行した状態となる。すなわち、リブ４３は、左スライド部３０の進行を規制する。左スライド機構ＬＳは、左スライド部３０が進行すると、左スライド機構ＬＳの長手方向に縮む。
【００５９】
進行方向において、第１ボス部４４は、左スライド部３０の第２連結部３４の後方に配置される。左スライド部３０が退行して第１ボス部４４に当接したとき、左スライド部３０は、左スライド収納部４０の内部から最大限退行した状態となる。すなわち、第１ボス部４４は、左スライド部３０の退行を規制する。左スライド機構ＬＳは、左スライド部３０が退行すると、左スライド機構ＬＳの長手方向に伸びる。
【００６０】
図１に戻る。
右イヤピース５０は、使用者の右耳の周囲に装着されて、音源からの音声信号に応じた音波を使用者の右耳の鼓膜に向けて出力する。右イヤピース５０の構成は、信号処理回路を備えない点を除いて、左イヤピース１０の構成と同じである。すなわち、右イヤピース５０は、右ハウジング５１と、右イヤパッド５２と、右ドライバユニット（不図示）と、を備える。
【００６１】
右ハンガー６０は、右イヤピース５０を揺動可能に支持する。右ハンガー６０の構成は、左ハンガー２０の構成と同じである。すなわち、右ハンガー６０は、中空の筐体部６１と、一対の軸部（不図示）と、連結孔（不図示）と、を備える。
【００６２】
右スライド部７０は、右スライド収納部８０に対して、進退移動（スライド）する。右スライド部７０の構成は、左スライド部３０の構成と同じである。すなわち、右スライド部７０は、第１アーム７１と、第２アーム７２と、第１連結部７３と、第２連結部（不図示）と、ばね（不図示）と、を備える。
【００６３】
右スライド収納部８０は、右スライド部７０の一部を進退移動可能に収納する。右スライド収納部８０の構成は、左スライド収納部４０の構成と同じである。すなわち、右スライド収納部８０は、第１部材（不図示）と、第２部材（不図示）と、リブ（不図示）と、第１ボス部（不図示）と、第２ボス部（不図示）と、第３ボス部（不図示）と、ヘッドバンド固定部８７と、信号線挿通路（不図示）と、を備える。
【００６４】
右イヤピース５０は、右ハンガー６０に所定の角度範囲で揺動可能に支持される。右ハンガー６０は、右スライド部７０に所定の角度範囲で回転可能に支持される。右スライド部７０は、右スライド収納部８０に進退移動可能に収納される。右スライド機構ＲＳは、右イヤピース５０とヘッドバンド９０との間の間隔を調節する。
【００６５】
ヘッドバンド９０は、左スライド機構ＬＳと右スライド機構ＲＳとを連結する。ヘッドバンド９０は、本発明における連結部材の例である。ヘッドバンド９０は、矩形筒状で、使用者の頭部の外形に沿うような曲率で湾曲する。ヘッドバンド９０は、例えば、所定の剛性と弾性とを有する合成樹脂製である。ヘッドバンド９０は、弾性部材（不図示）を備える。弾性部材は、例えば、板ばねである。弾性部材は、ヘッドバンド９０の内部に配置される。弾性部材の復元力により、左イヤピース１０と右イヤピース５０とは、互いに近づく方向に付勢される。
【００６６】
左スライド収納部４０は、ヘッドバンド９０の一端（左端）に挿入されて、ヘッドバンド９０に固定される。右スライド収納部８０は、ヘッドバンド９０の他端（右端）に挿入されて、ヘッドバンド９０に固定される。すなわち、ヘッドバンド９０は、左ハンガー２０と、左スライド機構ＬＳと、右スライド機構ＲＳと、右ハンガー６０と、を介して、左イヤピース１０と右イヤピース５０と（一対のイヤピース）を連結する。
【００６７】
前述のとおり、左スライド機構ＬＳは、左スライド部３０と左スライド収納部４０とにより構成される。左スライド機構ＬＳは、左スライド部３０が左スライド収納部４０に対して進退移動することにより、左イヤピース１０とヘッドバンド９０との間の距離を変更する。左スライド機構ＬＳが動作することで、左イヤピース１０の位置は、使用者の左耳の位置に調節される。
【００６８】
一方、右スライド機構ＲＳは、右スライド部７０が右スライド収納部８０に対して進退移動することにより、右イヤピース５０とヘッドバンド９０との間の距離を変更する。右スライド機構ＲＳが動作することで、右イヤピース５０の位置は、使用者の右耳の位置に調節される。
【００６９】
図５に戻る。
信号線１００は、左イヤピース１０の信号処理回路からの処理信号を右イヤピース５０の右ドライバユニットに伝送する。信号線１００は、左イヤピース１０と右イヤピース５０との間に配線される。信号線１００は、複数の芯線を備える多芯の信号線である。信号線１００は、８本のオーディオ系統線と、２本の電力系統線と、１本のライン系統線と、を備える。
【００７０】
オーディオ系統線は、右ドライバユニットの４つのボイスコイルそれぞれに伝送される処理信号の正極と負極とに対応する芯線である。電力系統線は、例えば、右イヤピース５０が備える回路などに供給される電力の正極と負極とに対応する芯線である。ライン系統線は、例えば、右イヤピース５０が備えるスイッチなどに信号を供給する芯線である。
【００７１】
処理信号の正極に対応する４本の芯線は、電力の正極に対応する１本の芯線と束ねられて、第１信号線１０１を構成する。一方、残りの６本の芯線は、束ねられて第２信号線１０２を構成する。第１信号線１０１の直径は、第１アーム３１の第１配線溝３１ａの幅と略同じである。第２信号線１０２の直径は、第２アーム３２の第２配線溝３２ａの幅と略同じである。
【００７２】
信号線１００が第１信号線１０１と第２信号線１０２とに分割されることにより、正極に対応する芯線は、負極に対応する芯線と短絡しない。また、オーディオ系統線において、チャンネルセパレーションが高まる。
【００７３】
なお、ライン系統線は、第２信号線に代えて、第１信号線に束ねられてもよい。
【００７４】
また、信号線の芯線の数は、本実施の形態に限定されない。
【００７５】
第１信号線１０１と第２信号線１０２とは、複数の芯線が分割されて束ねられる。そのため、第１信号線１０１の直径と、第２信号線１０２の直径とは、全ての芯線が束ねられた場合の信号線の直径と比較して、細い。すなわち、第１信号線１０１と第２信号線１０２とは、全ての芯線が束ねられた信号線と比較して、曲がり易く、左右スライド機構ＬＳ、ＲＳ内における配線の自由度が大きい。
【００７６】
●信号線１００の配線
次に、信号線１００の配線について説明する。
【００７７】
第１信号線１０１は、左イヤピース１０の信号処理回路と、右イヤピース５０のドライバユニットと、に接続される。第１信号線１０１は、左ハウジング１１、左ハンガー２０、左スライド機構（左スライド部３０、左スライド収納部４０）ＬＳ、ヘッドバンド９０、右スライド機構（右スライド収納部８０、右スライド部７０）ＲＳ、右ハンガー６０、右ハウジング５１それぞれの内部に配線される。
【００７８】
第２信号線１０２は、左イヤピース１０の信号処理回路と、右イヤピース５０のドライバユニットと、に接続される。第２信号線１０２は、左ハウジング１１、左ハンガー２０、左スライド機構（左スライド部３０、左スライド収納部４０）ＬＳ、ヘッドバンド９０、右スライド機構（右スライド収納部８０、右スライド部７０）ＲＳ、右ハンガー６０、右ハウジング５１それぞれの内部に配線される。
【００７９】
次に、左スライド機構ＬＳの内部における第１信号線１０１と第２信号線１０２の配線について説明する。
【００８０】
図７は、左スライド機構ＬＳの内部における信号線１００の配線状態を説明する斜視図である。同図は、左スライド部３０が最大限退行した状態を示す。同図は、説明の便宜上、第１連結部３３の一部と、第２部材４２と、の図示を省略し、ヘッドバンド９０の一部を二点鎖線で示す。
【００８１】
以下の説明において、左スライド部３０が左スライド収納部４０に対して進退移動する方向（図７の紙面上下方向）を、進退移動方向という。
【００８２】
先ず、左スライド部３０における第１信号線１０１の配線について説明する。
【００８３】
第１信号線１０１は、第１連結部３３の軸部３３ｂ（図４参照）の内部と、筐体部３３ａ（図４参照）の内部と、第１アーム３１の第１配線溝３１ａと、第２連結部３４の第３配線溝３４ａと、に配線される。前述のとおり、第１配線溝３１ａの幅は、第１信号線１０１の直径と略同じである。そのため、第１信号線１０１は、第１配線溝３１ａに嵌入される。その結果、第１信号線１０１は、第１配線溝３１ａの内部に固定される。
【００８４】
次に、左スライド収納部４０における第１信号線１０１の配線について説明する。
【００８５】
第１信号線１０１は、第３配線溝３４ａと信号線挿通路４８の間と、信号線挿通路４８と、に配線される。第１信号線１０１のうち、第３配線溝３４ａと信号線挿通路４８との間に配線される部分（以下「第１信号線移動部」という。）１０１ａは、リブ４３の近傍で進退移動方向に直交する方向（本実施の形態では前方）に曲がる。すなわち、リブ４３と第２ボス部４５との間に挿通される第１信号線１０１の挿通方向は、進退移動方向とは異なる。第１信号線１０１は、信号線挿通路４８において、進行方向に曲がる。
【００８６】
第１信号線移動部１０１ａは、左スライド部３０の進退移動に応じて、移動する。第１信号線移動部１０１ａの移動については、後述する。第１信号線移動部１０１ａの長さは、左スライド部３０の進退移動距離よりも長く設定される。そのため、第１信号線１０１は、左スライド部３０が進退移動しても断線しない。
【００８７】
次に、左スライド部３０における第２信号線１０２の配線について説明する。
【００８８】
第２信号線１０２は、第１連結部３３の軸部３３ｂ（図４参照）の内部と、筐体部３３ａ（図４参照）の内部と、第２アーム３２の第２配線溝３２ａと、第２連結部３４の第４配線溝３４ｂと、に配線される。前述のとおり、第２配線溝３２ａの幅は、第２信号線１０２の直径と略同じである。そのため、第２信号線１０２は、第２配線溝３２ａに嵌入される。その結果、第２信号線１０２は、第２配線溝３２ａの内部に固定される。
【００８９】
次に、左スライド収納部４０における第２信号線１０２の配線について説明する。
【００９０】
第２信号線１０２は、第４配線溝３４ｂと信号線挿通路４８の間と、信号線挿通路４８と、に配線される。第２信号線１０２のうち、第４配線溝３４ｂと信号線挿通路４８との間に配線される部分（以下「第２信号移動部」という。）１０２ａは、リブ４３の近傍で進退移動方向に直交する方向（本実施の形態では前方）に曲がる。すなわち、リブ４３と第２ボス部４５との間に挿通される第２信号線１０２の挿通方向は、進退移動方向とは異なる。第２信号線１０２は、信号線挿通路４８において、進行方向に曲がる。
【００９１】
第２信号移動部１０２ａは、左スライド部３０の進退移動に応じて、移動する。第２信号線移動部１０２ａの移動については、後述する。第２信号線移動部１０２ａの長さは、左スライド部３０の進退移動距離よりも長く設定される。そのため、第２信号線１０２は、左スライド部３０が進退移動しても断線しない。
【００９２】
信号線挿通路４８の幅は、例えば、第１信号線１０１の直径と第２信号線１０２の直径との和と略同じ幅、または少し広い幅に設定される。信号線挿通路４８は、前述のとおり、Ｌ字状である。そのため、第１信号線１０１と第２信号線１０２とは、信号線挿通路４８の内部でＬ字状に曲がる。その際、第１信号線１０１と第２信号線１０２とは、信号線挿通路４８の内面に当接して、信号線挿通路４８に簡易的に固定される。
【００９３】
●信号線収納部１１０
次に、信号線収納部１１０について説明する。信号線収納部１１０は、信号線１００のうち、左スライド機構ＬＳと右スライド機構ＲＳとの動作に応じて移動する部分（第１信号線移動部１０１ａ、第２信号線移動部１０２ａ）を収納する。信号線収納部１１０は、左信号線収納部１１０Ｌと右信号線収納部（不図示）とを備える。
【００９４】
左信号線収納部１１０Ｌは、リブ４３が左スライド部３０の進行方向への移動を規制しているときに、第１信号線移動部１０１ａと第２信号線移動部１０２ａとを収納する。左信号線収納部１１０Ｌは、リブ４３よりも進行方向の前方に配置される。信号線収納部１１０は、左スライド収納部４０におけるリブ４３より進行方向の前方に位置する部分（信号線挿通路４８を除く）と、ヘッドバンド９０と、により構成される。
【００９５】
なお、左信号線収納部１１０Ｌは、リブ４３よりも進行方向の前方に配置されればよく、本実施の形態に限定されない。すなわち、例えば、左信号線収納部１１０Ｌは、左スライド収納部４０のみで構成されてもよく、ヘッドバンド９０のみで構成されてもよい。
【００９６】
右信号線収納部の構成は、左信号線収納部１１０Ｌの構成と同じである。
【００９７】
●ヘッドホン１の動作
次に、ヘッドホン１の動作について説明する。
【００９８】
図８は、左スライド機構ＬＳが最大限退行した状態における信号線１００の配線状態を示す図である。
同図は、説明の便宜上、第２部材４２の図示を省略すると共に、ヘッドバンド９０とヘッドバンド固定部４７の一部を二点鎖線で示す。
【００９９】
左スライド機構ＬＳが最大限退行した状態のとき、左スライド部３０の第２連結部３４は、第１ボス部４４に当接する。第１信号線移動部１０１ａと第２信号線移動部１０２ａとは、リブ４３の近傍で、左スライド部３０の進退移動方向から、進退移動方向に直交する方向に曲がる。
【０１００】
図８の状態から左スライド部３０が進行方向に移動する（進行する）と、第１信号線移動部１０１ａと第２信号線移動部１０２ａとは、左スライド部３０から進行方向の前方に押される。このとき、第１信号線移動部１０１ａと第２信号線移動部１０２ａそれぞれの両端側は、信号線挿通路４８と、第１配線溝３１ａと第２配線溝３２ａと、により固定されている。そのため、左スライド部３０が進行方向に移動すると、第１信号線移動部１０１ａと第２信号線移動部１０２ａとは、曲がる。
【０１０１】
第１信号線移動部１０１ａと第２信号線移動部１０２ａとは、前述のとおり、リブ４３の近傍で約９０度曲がる。そのため、第１信号線移動部１０１ａと第２信号線移動部１０２ａとは、曲がっている部分がさらに曲がるようにして、進行方向の前方に移動する。すなわち、第１信号線移動部１０１ａと第２信号線移動部１０２ａとは、常に同じ部位から曲がりながら進行方向の前方へ移動する。このとき、第１信号線移動部１０１ａと第２信号線移動部１０２ａとは、第２ボス部４５に押し当てられて、第２ボス部４５にガイドされながら進行方向の前方に移動する。
【０１０２】
図９は、左スライド機構ＬＳが最大限進行した状態における信号線１００の配線状態を示す図である。
同図は、説明の便宜上、第２部材４２の図示を省略すると共に、ヘッドバンド９０とヘッドバンド固定部４７の一部を二点鎖線で示す。
【０１０３】
左スライド機構ＬＳが最大限進行した状態のとき、左スライド部３０の第２連結部３４は、リブ４３に当接する。このとき、第１信号線移動部１０１ａと第２信号線移動部１０２ａとは、リブ４３と左スライド部３０とに挟まれることなく、リブ４３よりも進行方向の前方に配置される（左信号線収納部１１０Ｌに収納される）。すなわち、リブ４３が左スライド部３０の進行方向への移動を規制しているとき、左スライド機構ＬＳは、左スライド部３０の進退移動範囲に第１信号線移動部１０１ａと第２信号線移動部１０２ａとを収納しない。その結果、左スライド機構ＬＳの厚みは薄くなり、左スライド機構ＬＳのデザインの自由度が向上する（制約が少なくなる）。
【０１０４】
●まとめ
以上説明した実施の形態によれば、第１信号線移動部１０１ａと第２信号線移動部１０２ａとは、左スライド部３０が進行方向に移動するときにリブ４３よりも進行方向の前方に移動し、リブ４３が左スライド部３０の進行方向への移動を規制しているときにリブ４３よりも進行方向の前方に配置される。そのため、左スライド機構ＬＳは、左スライド部３０の進退移動範囲内に信号線収納部を備える必要がない。すなわち、左スライド部３０の進退移動範囲において、左スライド機構ＬＳの厚みを薄くすることができる。右スライド機構ＲＳは、左スライド機構ＬＳと同様の効果を奏する。つまり、スライド機構において、スライド部の進退移動範囲内に進退移動（スライド）機能と信号線収納機能とを両立させる必要がなく、スライド機構のデザインの自由度が高まる。
【０１０５】
また、左スライド部３０において、信号線１００は、互いに対向する第１アーム３１と第２アーム３２それぞれの対向面に配置される第１配線溝３１ａと第２配線溝３２ａとに嵌入される。そのため、信号線１００は、第１配線溝３１ａと第２配線溝３２ａとに固定される。その結果、信号線１００は、第１配線溝３１ａと第２配線溝３２ａとから突出することなく、外部から視認され難い。そのため、ヘッドホン１の意匠への影響が少ない。
【０１０６】
さらに、左スライド機構ＬＳは、左スライド部３０の進行方向の移動を規制するリブ４３と、リブ４３よりも進行方向の前方に配置される第２ボス部４５と、を備える。信号線１００は、進退移動方向と異なる方向からリブ４３と第２ボス部４５との間（信号線挿通路４８）に挿通される。そのため、信号線１００は、信号線挿通路４８と左スライド部３０との間で曲がる。その結果、左スライド部３０が進行方向に移動するとき、信号線１００は、曲がっている部分がさらに曲がるようにして、進行方向の前方に移動する。したがって、信号線１００は、左スライド部３０とリブ４３とに挟まれることなく、スムーズに左信号線収納部１１０Ｌに収納される。
【０１０７】
このように、本発明にかかるヘッドホンは、芯線数の多い信号線が配線された場合であっても、スライド機構の厚みなどの寸法を大きくする必要がなく、ヘッドホン１の意匠への影響が少ない。
【０１０８】
なお、以上説明した実施の形態は、左右ドライバユニットがデジタル信号を音波に変換する構成であったが、左右ドライバユニットは、音声信号（アナログ信号）を音波に変換する構成でもよい。この場合、処理部は、受信部が受信した音声信号をデジタル信号からアナログ信号へ変換（Ｄ／Ａ変換）してもよい。
【０１０９】
また、各アーム部材は、配線部としての溝に代えて、配線部としての孔を備えてもよい。
【０１１０】
さらにまた、左右スライド部は、配線部としての孔を備える１本のアーム部材で構成されてもよい。
【０１１１】
さらに、電力系統線は、例えば、芯線がポリエチレンなどの絶縁材で被覆されたケーブルでもよい。この場合、第１信号線１０１と第２信号線１０２とは、適度に硬くなる。そのため、第１信号線１０１と第２信号線１０２とは、曲がった部分を起点として、より曲がり易くなる。
【符号の説明】
【０１１２】
１        ヘッドホン
１０      左イヤピース
２０      左ハンガー
３０      左スライド部
３１      第１アーム（アーム部材）
３１ａ    第１配線溝（配線部）
３２      第２アーム（アーム部材）
３２ａ    第２配線溝（配線部）
４０      左スライド収納部
４３      リブ（規制部）
４５      第２ボス部（ボス部）
４８      信号線挿通路
５０      右イヤピース
６０      右ハンガー
７０      右スライド部
８０      左スライド収納部
９０      ヘッドバンド（連結部材）
１００    信号線
１０１    第１信号線
１０２    第２信号線
１０１ａ  第１信号線移動部
１０２ａ  第２信号線移動部
【図１】
2018046445.tif 000003
【図２】
2018046445.tif 000004
【図３】
2018046445.tif 000005
【図４】
2018046445.tif 000006
【図５】
2018046445.tif 000007
【図６】
2018046445.tif 000008
【図７】
2018046445.tif 000009
【図８】
2018046445.tif 000010
【図９】
2018046445.tif 000011